(57)【特許請求の範囲】
【請求項１】
支持基体と、この支持基体に取り付けられた面材出入り調整金具と、この面材出入り調整金具に直接または間接的に取り付けられた面材とを有してなる壁構造であって、
前記面材出入り調整金具は、前記支持基体に取り付けられたベース部材と、このベース部材に設けられた結合穴と、基端部が前記ベース部材内に侵入するように前記結合穴を貫通した状態で、前記面材に対し垂直方向に前記ベース部材から立ち上がるねじ軸と、このねじ軸の先端部に設けられた、該ねじ軸を回転させるための工具を嵌合できる工具嵌合部と、前記ベース部材の外方に位置するように前記ねじ軸に一体的に設けられた、該ねじ軸の径方向に突出する径方向突出部と、前記ねじ軸のうちの前記径方向突出部より先端部側の外周に設けられた雄ねじ部と、雌ねじ部を備えており、この雌ねじ部を前記雄ねじ部に螺合されるとともに、前記面材を取り付けられた軸方向移動部材と、前記ベース部材内において、前記ねじ軸に貫通されている皿ばねとを有してなり、
前記ねじ軸の基端部はかしめ変形されていて、前記ベース部材および前記皿ばねは前記ねじ軸のかしめ変形部と前記径方向突出部との間に挟まれるようにしてかしめられているが、前記ベース部材に対する前記ねじ軸の軸周りの回転は可能な状態とされており、かつ前記皿ばねは圧縮変形されて該皿ばねの復元力が前記ベース部材と前記ねじ軸との間に摩擦力を生じさせ、前記ベース部材に対する前記ねじ軸の回転に対し制動力を作用させるようになっており、
前記径方向突出部は横断面非円形状をなしていて、前記ねじ軸を回転させるための工具を嵌合できるようになっており、
前記面材出入り調整金具の前記ねじ軸が回転されると、前記ねじ軸の軸方向に前記軸方向移動部材が移動し、前記支持基体と前記面材との間の間隔が調整されるようになっている壁構造。
【請求項２】
支持基体に面材を取り付ける壁構造において使用される面材出入り調整金具であって、
前記支持基体に取り付けられるベース部材と、
このベース部材に設けられた結合穴と、
基端部が前記ベース部材内に侵入するように前記結合穴を貫通した状態で、前記面材に対し垂直方向となるべき方向に前記ベース部材から立ち上がるねじ軸と、
このねじ軸の先端部に設けられた、該ねじ軸を回転させるための工具を嵌合できる工具嵌合部と、
前記ベース部材の外方に位置するように前記ねじ軸に一体的に設けられた、該ねじ軸の径方向に突出する径方向突出部と、
前記ねじ軸のうちの前記径方向突出部より先端部側の外周に設けられた雄ねじ部と、
雌ねじ部を備えており、この雌ねじ部を前記雄ねじ部に螺合されるとともに、前記面材を直接または間接的に取り付けられる軸方向移動部材と、
前記ベース部材内において、前記ねじ軸に貫通されている皿ばねとを有してなり、
前記ねじ軸の基端部はかしめ変形されていて、前記ベース部材および前記皿ばねは前記ねじ軸のかしめ変形部と前記径方向突出部との間に挟まれるようにしてかしめられているが、前記ベース部材に対する前記ねじ軸の軸周りの回転は可能な状態とされており、かつ前記皿ばねは圧縮変形されて該皿ばねの復元力が前記ベース部材と前記ねじ軸との間に摩擦力を生じさせ、前記ベース部材に対する前記ねじ軸の回転に対し制動力を作用させるようになっており、
前記径方向突出部は横断面非円形状をなしていて、前記ねじ軸を回転させるための工具を嵌合できるようになっており、
前記面材出入り調整金具の前記ねじ軸が回転されると、前記ねじ軸の軸方向に前記軸方向移動部材が移動し、これにより前記支持基体と前記面材との間の間隔が調整されるようになっている面材出入り調整金具。
【発明の詳細な説明】
【技術分野】
【０００１】
本発明は、建築物において、石膏ボード、外壁材等の面材を用いて構成される内壁、間仕切り壁、外壁等の壁構造、および該壁構造において面材の出入りを調整する面材出入り調整金具に関する。
【背景技術】
【０００２】
建築物において、石膏ボード、外壁材（外装材と称されることもある）等の面材を用いて内壁や間仕切り壁や外壁等を構成する壁構造は、従来よりよく知られている（例えば、特許文献１乃至３参照）。
【先行技術文献】
【特許文献】
【０００３】
【特許文献１】特開平８−４９３２７号公報
【特許文献２】特開２００４-１８３３８２号公報
【特許文献３】実開昭６２−１９００４９号公報
【発明の概要】
【発明が解決しようとする課題】
【０００４】
しかしながら、従来のこの種の壁構造においては、一般に、面材の出入り、すなわち面材に対して垂直な方向に関する面材の位置を調整できないという問題があった。
【０００５】
本発明は、このような従来の事情に鑑みてなされたもので、本発明の目的は、面材の出入りを容易に調整することができる壁構造および面材出入り調整金具を提供することにある。
【０００６】
本発明のさらに他の目的は、以下の説明から明らかになろう。
【課題を解決するための手段】
【０００７】
本発明による壁構造は、
支持基体と、この支持基体に取り付けられた面材出入り調整金具と、この面材出入り調整金具に直接または間接的に取り付けられた面材とを有してなる壁構造であって、
前記面材出入り調整金具は、前記支持基体に取り付けられたベース部材と、このベース部材に設けられた結合穴と、基端部が前記ベース部材内に侵入するように前記結合穴を貫通した状態で、前記面材に対し垂直方向に前記ベース部材から立ち上がるねじ軸と、このねじ軸の先端部に設けられた、該ねじ軸を回転させるための工具を嵌合できる工具嵌合部と、前記ベース部材の外方に位置するように前記ねじ軸に一体的に設けられた、該ねじ軸の径方向に突出する径方向突出部と、前記ねじ軸のうちの前記径方向突出部より先端部側の外周に設けられた雄ねじ部と、雌ねじ部を備えており、この雌ねじ部を前記雄ねじ部に螺合されるとともに、前記面材を取り付けられた軸方向移動部材と、前記ベース部材内において、前記ねじ軸に貫通されている皿ばねとを有してなり、
前記ねじ軸の基端部はかしめ変形されていて、前記ベース部材および前記皿ばねは前記ねじ軸のかしめ変形部と前記径方向突出部との間に挟まれるようにしてかしめられているが、前記ベース部材に対する前記ねじ軸の軸周りの回転は可能な状態とされており、かつ前記皿ばねは圧縮変形されて該皿ばねの復元力が前記ベース部材と前記ねじ軸との間に摩擦力を生じさせ、前記ベース部材に対する前記ねじ軸の回転に対し制動力を作用させるようになっており、
前記径方向突出部は横断面非円形状をなしており、前記ねじ軸を回転させるための工具を嵌合できるようになっており、
前記面材出入り調整金具の前記ねじ軸が回転されると、前記ねじ軸の軸方向に前記軸方向移動部材が移動し、前記支持基体と前記面材との間の間隔が調整されるようになっているものである。
【０００８】
本発明による面材出入り調整金具は、
支持基体に面材を取り付ける壁構造において使用される面材出入り調整金具であって、
前記支持基体に取り付けられるベース部材と、
このベース部材に設けられた結合穴と、
基端部が前記ベース部材内に侵入するように前記結合穴を貫通した状態で、前記面材に対し垂直方向となるべき方向に前記ベース部材から立ち上がるねじ軸と、
このねじ軸の先端部に設けられた、該ねじ軸を回転させるための工具を嵌合できる工具嵌合部と、
前記ベース部材の外方に位置するように前記ねじ軸に一体的に設けられた、該ねじ軸の径方向に突出する径方向突出部と、
前記ねじ軸のうちの前記径方向突出部より先端部側の外周に設けられた雄ねじ部と、
雌ねじ部を備えており、この雌ねじ部を前記雄ねじ部に螺合されるとともに、前記面材を直接または間接的に取り付けられる軸方向移動部材と、
前記ベース部材内において、前記ねじ軸に貫通されている皿ばねとを有してなり、
前記ねじ軸の基端部はかしめ変形されていて、前記ベース部材および前記皿ばねは前記ねじ軸のかしめ変形部と前記径方向突出部との間に挟まれるようにしてかしめられているが、前記ベース部材に対する前記ねじ軸の軸周りの回転は可能な状態とされており、かつ前記皿ばねは圧縮変形されて該皿ばねの復元力が前記ベース部材と前記ねじ軸との間に摩擦力を生じさせ、前記ベース部材に対する前記ねじ軸の回転に対し制動力を作用させるようになっており、
前記径方向突出部は横断面非円形状をなしており、前記ねじ軸を回転させるための工具を嵌合できるようになっており、
前記面材出入り調整金具の前記ねじ軸が回転されると、前記ねじ軸の軸方向に前記軸方向移動部材が移動し、これにより前記支持基体と前記面材との間の間隔が調整されるようになっているものである。
【０００９】
本発明においては、面材出入り調整金具のねじ軸を回転すると、ねじ軸の軸方向（すなわち、面材に対し垂直方向）に軸方向移動部材が移動する。したがって、ねじ軸を回転することにより、支持基体と面材との間の間隔を容易に調整することができる。
【００１０】
また、皿ばねがベース部材とねじ軸との間に摩擦力を生じさせ、ベース部材に対するねじ軸の回転に対し制動力を作用させているので、出入り調整後にねじ軸が勝手に回転して、支持基体と面材との間の間隔が狂ってしまうことがない。
【発明の効果】
【００１１】
本発明の壁構造および面材出入り調整金具によれば、
（イ）面材の出入りを容易に調整することができる、
（ロ）皿ばねがベース部材とねじ軸との間に摩擦力を生じさせ、ベース部材に対するねじ軸の回転に対し制動力を作用させているので、出入り調整後にねじ軸が勝手に回転して、支持基体と面材との間の間隔が狂ってしまうことがない、
等の優れた効果を得られる。
【図面の簡単な説明】
【００１２】
【図１】本発明の実施例１における面材出入り調整金具を示す斜視図である。
【図２】前記実施例１の面材出入り調整金具を示す正面図である。
【図３】前記実施例１の面材出入り調整金具を示す平面図である。
【図４】前記実施例１の面材出入り調整金具を示す左側面図である。
【図５】図３のＶ−Ｖ線における断面図である。
【図６】前記実施例１の面材出入り調整金具に使用されている皿ばねを圧縮されていない自由な状態で示す縦断面図である。
【図７】実施例１における内壁構造を示す断面図である。
【図８】本発明の実施例２における面材出入り調整金具を、軸方向移動部材は取り外して示す斜視図である。
【図９】前記実施例２の面材出入り調整金具を示す斜視図である。
【図１０】前記実施例２の面材出入り調整金具を示す正面図である。
【図１１】前記実施例２の面材出入り調整金具を示す右側面図である。
【図１２】前記実施例２の面材出入り調整金具を示す左側面図である。
【図１３】前記実施例２の面材出入り調整金具を示す平面図である。
【図１４】図１０のＸＩＶ−ＸＩＶ線における断面図である。
【図１５】図１３のＸＶ−ＸＶ線における断面図である。
【図１６】図１０のＸＶＩ−ＸＶＩ線における断面図である。
【図１７】実施例２における間仕切り壁構造を示す断面図である。
【図１８】本発明の実施例３における面材出入り調整金具を示す正面図である。
【図１９】本発明の実施例４における壁構造を示す断面図である。
【発明を実施するための形態】
【００１３】
以下、本発明を図面に示す実施例に基づいて説明する。
【実施例１】
【００１４】
図１〜７は本発明による壁構造および面材出入り調整金具の実施例１を示している。本実施例は、本発明を建物の内壁構造に適用した実施例である。まず概略を述べると、この内壁構造は、図７に示されているように、支持基体１（本実施例の場合、建物の外壁をなすＡＬＣ版）に、面材出入り調整金具２を介して、上下方向（図７における紙面に垂直な方向）に延びる面材支持材３（本実施例の場合、横断面「凸」字状をなす軽天からなる縦材）を取り付け、さらにこれらの面材支持材３に、内壁を構成する石膏ボードからなる面材４を取り付けて構成される。
【００１５】
図１〜６は、前記面材出入り調整金具２を示している。面材出入り調整金具２のベース部材５は、鋼板、ステンレス鋼板等の金属板をプレス加工してなり、全体として大略矩形状をなしている。このベース部材５の縁部は、全周に渡って同一平面上にあり、該ベース部材５の底部６をなし、支持基体１の裏面に当接されるようになっている。前記ベース部材５の残り部分は、プレス絞り加工により隆起されて隆起部７とされている。この隆起部７の頂面７ａは底部６と平行な平面をなす平面状とされており、この平面状の頂面７ａの中央部には円形の結合穴８（図５参照）が明けられている。前記隆起部７の一部には、底部６と同一高さまで下方に落ち込む円形状の陥没部９が設けられており、この陥没部９の中央には取付穴１０が設けられている。
【００１６】
前記ベース部材５には、以下に詳しく説明するような態様で、ねじ軸１１がベース部材５に対し垂直方向に立設されている。前記ねじ軸１１の基端部付近には、横断面六角形状をなし、該ねじ軸１１の径方向に突出する径方向突出部１２が一体的に設けられている。この径方向突出部１２は、スパナ等の工具を嵌合してねじ軸１１を回転するための工具嵌合部として使用できるようになっている。前記ねじ軸１１のうちの径方向突出部１２より先端側の部分の外周には、雄ねじ部１３が設けられている。図５に示されているように、前記ねじ軸１１のうちの径方向突出部１２より基端部側の部分は、結合穴８を貫通してベース部材５の隆起部７内に侵入している。
【００１７】
前記ベース部材５の隆起部７内において、前記ねじ軸１１のうちの径方向突出部１２より基端部側の部分は皿ばね１４を貫通している。前記ねじ軸１１の基端部は該ねじ軸１１の径方向に突出することとなるようにかしめ変形されている（符号１５はこのかしめ変形部を示している）。これにより、かしめ変形部１５と径方向突出部１２との間にベース部材５の隆起部７および皿ばね１４が挟まれた状態になっている。ただし、前記かしめはある程度緩く行われており、それによりねじ軸１１はベース部材５に対し軸周りに回転可能となっている。また、前記かしめにより、皿ばね１４が圧縮変形されて該皿ばね１４の復元力（ベース部材５に対しねじ軸１１を図５における下方に付勢している）がベース部材５と前記ねじ軸１１との間に摩擦力を生じさせ、ベース部材５に対する前記ねじ軸１１の回転に対し制動力を作用させるようになっている。図６は、前述のようにかしめられて圧縮される前の自由な状態における皿ばね１４の形状を示している。前記ねじ軸１１の先端部には、該ねじ軸１１を回転させるための六角レンチ等の工具を嵌合する六角穴状の工具嵌合部１６が設けられている。
【００１８】
軸方向移動部材１７は、鋼板、ステンレス鋼板等の金属板をプレス加工してなり、腕部１８と、この腕部１８の先端部に設けられた支持材受け部１９とを一体的に有している。前記腕部１８にはバーリング穴２０が設けられており、このバーリング穴２０の内周に形成された雌ねじ部２１はねじ軸１１の雄ねじ部１３に螺合されている。前記支持材受け部１９は、面材支持材３の裏面に当接される裏面当接部１９ａと、面材支持材３の側端に当接される側端当接部１９ｂとを有しており、側端当接部１９ｂには面材４に対し斜め方向になるようにねじ穴２４が設けられている。
【００１９】
前述のように、図７は、本実施例における内壁構造を示している。この内壁構造を施工する場合、まず左右１組の面材出入り調整金具２のベース部材５を、取付穴１０を用いて、ＡＬＣ用ねじまたは釘２５により、支持基体１（本実施例の場合、建物の外壁をなすＡＬＣ版）に該支持基体１に沿うようにして取り付ける。必要な場合には、接着剤を併用してもよい。
【００２０】
同様にして、他の面材出入り調整金具２を、上下方向（図７における紙面に垂直な方向）に関し必要組数、支持基体１に取り付ける。
【００２１】
次に、ねじ穴２４に挿通した取付ねじ２６を上下方向に延びる面材支持材３（本実施例の場合、縦材）の左右端部にねじ込むことにより、各面材出入り調整金具２の軸方向移動部材１７の支持材受け部１９に面材支持材３を取り付ける。なお、この際、面材支持材３の裏面を支持材受け部１９の裏面当接部１９ａに、面材支持材３の側端を支持材受け部１９の側端当接部１９ｂに当接させる。
【００２２】
次に、各面材出入り調整金具２のねじ軸１１の径方向突出部１２にスパナ等の工具を嵌合するか、または六角レンチ等の工具を工具嵌合部１６に嵌合して、ねじ軸１１を回転させると、ねじ軸１１の軸方向に各軸方向移動部材１７が移動するので、面材４に対し垂直方向となるべき方向に関し、支持基体１と面材支持材３との間の間隔（ひいてはこの後取り付ける面材４との間の間隔）を容易に調整することができる。
【００２３】
前記出入り調整後、面材支持材３に面材４を取り付ける。なお、面材支持材３に面材４を取り付けた後でも、面材４の上下方向端部付近等から面材出入り調整金具２にアクセスすることができる場合は、面材支持材３に面材４を取り付けた後、ねじ軸１１を回転して前記出入り調整を行ってもよい。
【００２４】
この壁構造および面材出入り調整金具２においては、皿ばね１４がベース部材５とねじ軸１１との間に摩擦力を生じさせ、ベース部材５に対するねじ軸１１の回転に対し制動力を作用させているので、ねじ軸１１が勝手に回転して支持基体１と面材４との間の間隔が狂ってしまうことはない。
【００２５】
なお、前述の説明では、先に面材出入り調整金具２を支持基体１に取り付けてから調整金具２に面材支持材３を取り付けるものとしているが、先に面材出入り調整金具２に面材支持材３に取り付けてから、調整金具２を支持基体１に取り付けてもよい。
【実施例２】
【００２６】
図８〜１７は、本発明による壁構造および面材出入り調整金具の実施例２を示している。本実施例は、本発明を建物の間仕切り壁構造に適用した実施例を示している。まず概略を述べると、この間仕切り壁構造は、図１７に示されているように、支持基体１（本実施例の場合、建物の躯体間に横方向に掛け渡たされた角パイプ）に、面材出入り調整金具２を介して、上下方向（図１７における紙面に垂直な方向）に延びる面材支持材３（本実施例の場合、横断面「凸」字状をなす軽天からなるスタッド）を取り付け、さらにこれらの面材支持材３に間仕切り壁を構成する石膏ボードからなる面材４を取り付けて構成される。
【００２７】
図８は本実施例における面材出入り調整金具２を、左右一対の軸方向移動部材１７は取り外して示し、図９〜１６は軸方向移動部材１７を含めた面材出入り調整金具２全体を示している。
【００２８】
面材出入り調整金具２のベース部材５は、鋼板、ステンレス鋼板等の金属板をプレス加工してなり、全体として大略コの字形をなしており、上片２７とこの上片２７の左右両端から下方に折り曲げられた側片２８を有している。前記ベース部材５の左右の側片２８には、プレス絞り加工により円形状に隆起された隆起部７がそれぞれ設けられている。これらの隆起部７の頂面７ａはベース部材５の左右の側片２８の主要部と平行な平面をなす平面状とされており、この平面状の頂面７ａの中央部には円形の結合穴８（図１４，１５参照）が設けられている。
【００２９】
前記ベース部材５の左右の側片２８には、次に述べるように実施例１の場合と同様のねじ軸１１が左右の側片２８に対し垂直方向に立設されている。前記ねじ軸１１の基端部付近には、横断面六角形状をなし、該ねじ軸１１の径方向に突出する径方向突出部１２が一体的に設けられている。この径方向突出部１２は、スパナ等の工具を嵌合してねじ軸１１を回転するための工具嵌合部として使用できるようになっている。前記ねじ軸１１のうちの径方向突出部１２より先端側の部分の外周には、雄ねじ部１３が設けられている。図１４および１５に示されているように、前記ねじ軸１１のうちの径方向突出部１２より基端部側の部分は、結合穴８を貫通してベース部材５の隆起部７内に侵入している。
【００３０】
各ベース部材５の隆起部７内において、前記ねじ軸１１のうちの径方向突出部１２より基端部側の部分は皿ばね１４を貫通している。前記ねじ軸１１の基端部は該ねじ軸１１の径方向に突出することとなるようにかしめ変形されている（符号１５はこのかしめ変形部を示している）。これにより、かしめ変形部１５と径方向突出部１２との間にベース部材５の隆起部７および皿ばね１４が挟まれた状態になっている。ただし、前記かしめはある程度緩く行われており、それによりねじ軸１１はベース部材５に対し回転可能となっている。また、前記かしめにより、皿ばね１４が圧縮変形されて該皿ばね１４の復元力（ベース部材５に対しねじ軸１１を図１４，１５における水平方向内向きに付勢している）がベース部材５と前記ねじ軸１１との間に摩擦力を生じさせ、ベース部材５に対する前記ねじ軸１１の回転に対し制動力を作用させるようになっている。前記ねじ軸１１の先端部には、該ねじ軸１１を回転させるための六角レンチ等の工具を嵌合する六角穴状の工具嵌合部１６が設けられている。
【００３１】
左右一対の軸方向移動部材１７は、鋼板、ステンレス鋼板等の金属板をプレス加工してなり、それぞれ腕部１８と、この腕部１８の先端部に設けられた支持材受け部１９とを一体的に有している(なお、本実施例では、左右の軸方向移動部材１７は全く同一の形状なしており、言い換えれば、一つの軸方向移動部材１７を左右のいずれの軸方向移動部材１７とすることもできる）。前記腕部１８にはバーリング穴２０が設けられており、このバーリング穴２０の内周に形成された雌ねじ部２１はねじ軸１１の雄ねじ部１３に螺合されている。前記支持材受け部１９は面材支持材３の裏面に当接される裏面当接部１９ａと面材支持材３の側端に当接される側端当接部１９ｂとを有しており、側端当接部１９ｂには面材４に対し斜め方向になるようにねじ穴２４が設けられている。
【００３２】
図１７は、前述のように本実施例における間仕切り壁構造を示している。この間仕切り壁構造を施工する場合、まず１組の面材出入り調整金具２のベース部材５を支持基体１（本実施例の場合、角パイプ）に、左右の側片２８が支持基体１を挟み、上片２７が支持基体１の上面に接することとなるようにして嵌合することにより取り付ける。
【００３３】
同様にして、他の面材出入り調整金具２を、上下方向（図１７における紙面に垂直な方向）に関し必要組数、支持基体１に取り付ける。
【００３４】
次に、ねじ穴２４に挿通した取付ねじ２６を上下方向（図２７において紙面に垂直な方向）に延びる面材支持材３（本実施例の場合、スタッド）の左右端部にねじ込むことにより、各面材出入り調整金具２の軸方向移動部材１７の支持材受け部１９に面材支持材３を取り付ける。なお、この際、面材支持材３の裏面を支持材受け部１９の裏面当接部１９ａに、面材支持材３の側端を支持材受け部１９の側端当接部１９ｂに当接させる。
【００３５】
次に、各面材出入り調整金具２のねじ軸１１の径方向突出部１２にスパナ等の工具を嵌合するか、または工具嵌合部１６に六角レンチ等の工具を嵌合してねじ軸１１を回転させると、ねじ軸１１の軸方向に各軸方向移動部材１７が移動するので、面材４に対し垂直方向となるべき方向に関し、支持基体１と面材支持材３との間の間隔（ひいてはこの後取り付ける面材４との間の間隔）を容易に調整することができる。
【００３６】
この出入り調整後、面材支持材３に面材４を取り付ける。なお、面材支持材３に面材４を取り付けた後でも、面材出入り調整金具２にアクセスすることができる場合は、面材支持材３に面材４を取り付けた後、ねじ軸１１を回転して前記出入り調整を行ってもよい。
【００３７】
本実施例においても、皿ばね１４がベース部材５とねじ軸１１との間に摩擦力を生じさせ、ベース部材５に対するねじ軸１１の回転に対し制動力を作用させているので、ねじ軸１１が勝手に回転して支持基体１と面材４との間の間隔が狂ってしまうことはない。
【００３８】
なお、前述の説明では、先に面材出入り調整金具２を支持基体１に取り付けてから調整金具２に面材支持材３を取り付けるものとしているが、先に面材出入り調整金具２に面材支持材３に取り付けてから、調整金具２を支持基体１に取り付けてもよい。
【実施例３】
【００３９】
図１８は、本発明による面材出入り調整金具２の実施例３を示している。本実施例は、間仕切り壁構造において、実施例２の場合のように面材４を互いに対向して２面設けるのではなく、１面のみ設ける場合のもので、出入り調整金具２の片側にのみねじ軸１１および軸方向移動部材１７が設けられている。他の構成は実施例２と同様である。
【００４０】
本実施例においても、面材４を１面のみ設けるという点を除いて、実施例２の場合と同様の作用効果を得ることができる。
【実施例４】
【００４１】
図１９は、本発明による壁構造および面材出入り調整金具の実施例４を示している。本実施例は、本発明を建物の外壁構造に適用した実施例を示している。
【００４２】
面材出入り調整金具２のベース部材５、ねじ軸１１および皿ばね１４は、図１の実施例の場合の同様の構成とされている。
【００４３】
面材出入り調整金具２の軸方向移動部材１７は、鋼板、ステンレス鋼板等の金属板をプレス加工してなり、全体としてコの字状をなす腕部１８と、この腕部１８の上端側先端部に設けられた上側外壁材裏面受け部２９および上側外壁材端部係合部３０と、腕部１８の下端側先端部に設けられた下側外壁材裏面受け部３１および下側外壁材端部係合部３２を一体的に有している。前記上側外壁材端部係合部３０および下側外壁材端部係合部３２は、水平方向部分を有するくの字状に屈曲した爪状をなしている。前記腕部１８の中央部にはバーリング穴２０が設けられており、このバーリング穴２０の内周に形成された雌ねじ部２１はねじ軸１１の雄ねじ部１３に螺合されている。
【００４４】
本実施例における面材４は、外壁材であり、上端部に係合溝部３３、下端部に係合溝部３４をそれぞれ設けられている。
【００４５】
この外壁構造を施工する場合、まず下段側の面材（外壁材）４の上端部に設けられた係合溝部３３に下側外壁材端部係合部３２が係合するとともに、下段側の面材４の裏面に下側外壁材裏面受け部３１が当接するようにして、面材出入り調整金具２のベース部材５を、取付穴１０（図１９には図示されていない）を用いてねじまたは釘２５により、支持基体１（本実施例の場合、建物の躯体または建物の躯体に取り付けられた外壁下地材）に該支持基体１に沿うようにして取り付ける。これにより、下段側の面材４の上端部が面材出入り調整金具２を介して支持基体１に取り付けられる。
【００４６】
次に、上段側の面材（外壁材）４の下端部に設けられた係合溝部３４に上側外壁材端部係合部３０が係合するとともに、上段側の面材４の裏面に上側外壁材裏面受け部２９が当接するようにして、上段側の面材４を上側外壁材端部係合部３０上に載置する。これにより、上段側の面材４の下端部が面材出入り調整金具２を介して支持基体１に取り付けられる。
【００４７】
以後、同様にして順次下段側から上段側へと面材４を取り付けて行くことにより、各段の面材４を支持基体１７に取り付けて行くことができる。
【００４８】
次に、各面材出入り調整金具２のねじ軸１１の径方向突出部１２にスパナ等の工具を嵌合するか、または六角レンチ等の工具を工具嵌合部１６に嵌合して、ねじ軸１１を回転させると、ねじ軸１１の軸方向に各軸方向移動部材１７が移動するので、面材４に対し垂直方向となるべき方向に関し、支持基体１と面材４との間の間隔を容易に調整することができる。
【００４９】
本実施例においても、皿ばね１４がベース部材５とねじ軸１１との間に摩擦力を生じさせ、ベース部材５に対するねじ軸１１の回転に対し制動力を作用させているので、ねじ軸１１が勝手に回転して支持基体１と面材４との間の間隔が狂ってしまうことはない。
【００５０】
なお、面材４（外壁材）の出入りを調整した後は、面材４の端部間に乾式または湿式の目地処理を行う。
【００５１】
また、外壁材を建物躯体に取り付ける際には、一般に、外壁材を横長とし、各外壁材の上端部と下端部とを互いに対向させて、順次下段側から上段側へと外壁材を取り付けて行く場合（所謂横貼り）と、外壁材を縦長とし、各外壁材の左端部と右端部とを互いに対向させて、順次左から右または右から左側に外壁材を取り付けて行く場合（所謂縦貼り）とがある。本実施例は、所謂横貼りを行う場合の例であるが、本発明は所謂縦貼りを行う場合にも適用できることは言うまでもない。
【００５２】
なお、前記各実施例においては、ねじ軸１１の先端部に工具嵌合部１６を設けるとともに、径方向突出部１２を横断面非円形状とし、ねじ軸１１を回転させるための工具嵌合部としても機能するようにしているが、本発明においては、ねじ軸先端部の工具嵌合部または径方向突出部が構成する工具嵌合部のいずれか１つのみを設けてもよいし、ねじ軸を回転させるための別の手段を設けてもよい。
【００５３】
また、前記各実施例においては、ねじ軸１１の先端部に設けられる工具嵌合部１６を六角穴状としているが、本発明においてはねじ軸の先端部に設けられる工具嵌合部を四角穴、十字等の他の形状の穴状やマイナス溝状としてもよいし、ボックスレンチ等の他の種の工具を嵌合できる凸状の形状としてもよい。
【００５４】
また、径方向突出部１２を工具嵌合部としても機能させる場合、径方向突出部１２は横断面六角形状以外の横断面非円形状としてもよい。
【００５５】
また、本発明における支持基体１、面材支持材３および面材４は、前記実施例において使用されている以外のものとしてもよい。
【産業上の利用可能性】
【００５６】
以上のように本発明による壁構造および面材出入り調整金具は、建築物において面材を用いて構成される内壁や間仕切り壁や外壁等の壁構造、および該壁構造において面材の出入りを調整する面材出入り調整金具として有用である。
【符号の説明】
【００５７】
１    支持基体
２    出入り調整金具
３    面材支持材
４    面材
５    ベース部材
８    結合穴
１１    ねじ軸
１２    径方向突出部
１３    雄ねじ部
１４    皿ばね
１５    かしめ変形部
１６    工具嵌合部
１７    軸方向移動部材
２１    雌ねじ部
【図１】
0005852868.tif 000002
【図２】
0005852868.tif 000003
【図３】
0005852868.tif 000004
【図４】
0005852868.tif 000005
【図５】
0005852868.tif 000006
【図６】
0005852868.tif 000007
【図７】
0005852868.tif 000008
【図８】
0005852868.tif 000009
【図９】
0005852868.tif 000010
【図１０】
0005852868.tif 000011
【図１１】
0005852868.tif 000012
【図１２】
0005852868.tif 000013
【図１３】
0005852868.tif 000014
【図１４】
0005852868.tif 000015
【図１５】
0005852868.tif 000016
【図１６】
0005852868.tif 000017
【図１７】
0005852868.tif 000018
【図１８】
0005852868.tif 000019
【図１９】
0005852868.tif 000020